(57)【要約】【課題】生産性を悪化させることなくワイヤハーネスの各電線に電線毎に同一の識別マークを確実に付与できるワイヤハーネスの製造装置を提供する。【解決手段】同色の電線２・・・が複数本束ねられたワイヤハーネス５の両端部に多芯コネクタを接続するワイヤハーネスの製造装置において、前記各電線２・・・の一端２ａ・・・が電気的に接続される導通チェッカ８と、該導通チェッカ８に導線１９を介して電気的に接続され、前記各電線２・・の他端２ｂ・・が載置される載置部１０と、前記各電線２・・の両端部２ａ，２ｂに識別マーク１１を付与するマーク付与器９とを備え、前記電線２の他端２ｂが前記載置部１０に載置されたとき、該電線１の一端２ａと他端２ｂとが前記導線１９を介して導通すると前記導通チェッカ８から識別マーク付与信号が前記マーク付与器９に出力され、該マーク付与器９により前記電線２の他端２ｂに識別マーク１１が付与される【選択図】図１
2015125898.tif 000002
【特許請求の範囲】
【請求項１】
同色の電線が複数本束ねられたワイヤハーネスの両端部に多芯コネクタを接続するワイヤハーネスの製造装置において、
前記各電線の一端が電気的に接続される導通チェッカと、該導通チェッカに導線を介して電気的に接続され、前記各電線の他端が載置される載置部と、前記各電線の端部に識別マークを付与するマーク付与器とを備え、
前記電線の他端が前記載置部に載置されたとき、該電線の一端と他端とが前記導線を介して導通すると前記導通チェッカから識別マーク付与信号が前記マーク付与器に出力され、該マーク付与器により前記電線の他端に識別マークが付与されることを特徴とするワイヤハーネスの製造装置。
【発明の詳細な説明】
【技術分野】
【０００１】
本発明は、複数本の電線を束ねたワイヤハーネスの両端部に多芯タイプのコネクタを装着する際に、電線毎に同一の識別マークを付与することにより誤組立を防止するようにしたワイヤハーネスの製造装置に関する。
【背景技術】
【０００２】
複数本の電線を束ねたワイヤハーネスの両端部に多芯コネクタを装着する場合、各電線を異なる色にするのが一般的であり、これによりコネクタを装着する際の誤組立を防止することができる。
【０００３】
しかし前記のように各電線を異なる色にする場合は、色違いの電線を大量に保管しなければならず、必要な保管スペースが大きくなり、管理費が嵩み、コスト高になる問題がある。
【０００４】
このような問題を回避するために、同色の電線を用いた場合は、誤組立を防止するために、各電線の両端部に電線毎に同一の識別マークを付与することが行われる（例えば特許文献１参照）。
【先行技術文献】
【特許文献】
【０００５】
【特許文献１】特開昭６１−２４５４１２号公報
【発明の概要】
【発明が解決しようとする課題】
【０００６】
複数の同色の電線を束ねてなるワイヤハーネスの場合、上述のように、電線の両端部に電線毎に同一の識別マークを付与することとなるが、誤って一本の電線の一端部と異なる電線の他端部とに同一の識別マークを付与してしまうおそれがある。その対策として電線を一本ずつ取り出してその両端部に同一の識別マークを付与するようにするとコストが増大し、生産性が悪化する。
【０００７】
本発明は、前記従来の状況に鑑みてなされたもので、生産性を悪化させることなくワイヤハーネスの各電線に電線毎に同一の識別マークを確実に付与できるワイヤハーネスの製造装置を提供することを課題としている。
【課題を解決するための手段】
【０００８】
本発明は、同色の電線が複数本束ねられたワイヤハーネスの両端部に多芯コネクタを接続するワイヤハーネスの製造装置において、
前記各電線の一端が電気的に接続される導通チェッカと、該導通チェッカに導線を介して電気的に接続され、前記各電線の他端が載置される載置部と、前記各電線の端部に識別マークを付与するマーク付与器とを備え、
前記電線の他端が前記載置部に載置されたとき、該電線の一端と他端とが前記導線を介して導通すると前記導通チェッカから識別マーク付与信号が前記マーク付与器に出力され、該マーク付与器により前記電線の他端に識別マークが付与されることを特徴としている。
【０００９】
ここで本発明におけるワイヤハーネス製造装置では、各電線の一端については、予め任意の識別マークを付与しても良いし、あるいは各電線の一端をコネクタに接続し、該コネクタを導通チェッカ側の接続端子に接続することにより、該チェッカ側接続端子に設定されている識別マークが前記電線の一端に付与されているとみなしても良い。
【発明の効果】
【００１０】
上述のように、複数本の同色の電線が束ねられているワイヤハーネスでは、電線の両端に電線毎に同一の識別マークを付与するのは困難であるが、本発明に係るワイヤハーネスの製造装置によれば、各電線の他端を載置部に載置した際に、該電線の一端と他端とが導線を介して導通しない場合はマーク付与器が作動せず、導通した場合のみマーク付与器が作動するので、確実に、電線の他端に目的とする識別マークを付与でき、この識別マークに従って各電線の端部をコネクタの対応する接続孔に挿入し接続することで、誤組立を防止できる。
【００１１】
また各電線を一本ずつ取り出した状態で、各電線の両端に識別マーク付与する場合に比較して生産性を向上でき、コストの増大を回避できる。
【図面の簡単な説明】
【００１２】
【図１】本発明の実施例１に係るワイヤハーネスの製造装置を示す分解斜視図である。
【図２】本発明の実施例２に係るワイヤハーネスの製造装置を示す分解斜視図である。
【発明を実施するための形態】
【００１３】
以下、本発明の実施例を添付図面に基づいて説明する。
【実施例１】
【００１４】
図１は、本発明の実施例１に係るワイヤハーネスの製造装置を説明するための図である。
【００１５】
図において、１はワイヤハーネスの製造装置であり、該製造装置１は、同色（例えば黒色）の電線２，３，４・・・が複数本、ハーネスバンド５ａにより束ねられたワイヤハーネス５の、例えば電線２の一端２ａ，他端２ｂに端子ａ，ｂを圧着固定すると共に、該電線２の端子ａ，ｂの近傍に同色のスタンプ（識別マーク）１１を付与するための装置である。そして前記スタンプ１１の色に従って各電線の端子ａ，ｂをコネクタ（本実施例１では図示せず）の所定挿入孔に接続することにより誤組立てを防止できる。なお、前記各電線はスタンプ１１の色に応じてコネクタの何れの挿入孔に挿入接続するかが予め設定されている。
【００１６】
前記製造装置１は、導通チェッカ８と、該導通チェッカ８の＋側の接続孔８ａに導線１９を介して接続された載置部１０と、前記電線２の他端２ｂにスタンプ１１を付与するスタンプ器（識別マーク付与器）９と、前記導通チェッカ８に接続されたスタンプ器制御装置１２とを備えている。
【００１７】
前記載置部１０は、例えば前記電線２の他端２ｂが載置され、後述する端子圧着器１５のプレス部１５ｂが押圧する金属製の導通プレート１０ａを有し、また該載置部１０の近傍には、電線スライド装置１３，端子供給器１４及び端子圧着器１５が配設されている。
【００１８】
前記電線スライド装置１３は、電線２の他端部２ｂを前記載置部１０に向けて進退させるスライド台１３ａを有する。前記端子供給器１４は鎖状に繋げられた端子ｂを順次前記導通プレート１０ａ上に供給する。前記端子圧着器１５は、本体部１５ａに昇降可能に支持されたプレス部１５ｂを有し、前記導通プレート１０ａ上に供給された端子ｂに電線スライド装置１３により電線の先端部を載せた状態で前記プレス部１５ｂが下降することにより電線２の先端に端子ｂが圧着される。
【００１９】
前記スタンプ器９は、電線毎に同色のスタンプを、例えば電線２には赤色スタンプを、電線３には青色スタンプを、電線４には緑色スタンプをそれぞれ付与するためのものである。具体的には、本体部９ａと、該本体部９ａにより回転可能かつ昇降可能に支持された支持板９ｂとを有し、該支持板９ｂには各色に応じたノズル１８ａ，１８ｂ・・・がセットされており、該各ノズル１８ａ，１８ｂ・・・には各色に応じたインクタンク１８ａ′，１８ｂ′・・・が接続されている。
【００２０】
前記スタンプ器制御装置１２は前記スタンプ器９によるスタンプ１１の色を選択するためのものであり、例えば赤色のスイッチ１２ａを押すと前記スタンプ器９は赤色のスタンプを付与可能状態で待機し、青色のスイッチ１２ｂを押すと前記スタンプ器９は青色のスタンプを付与可能状態で待機することとなる。
【００２１】
なお、前記スタンプ器制御装置１２は、手動操作も選択可能となっており、手動操作を選択した場合は、電線の一端部に任意の色のスタンプを付与できる。
【００２２】
前記導通チェッカ８は、何れかの、例えば電線２の一端２ａに圧着された端子ａが−側挿入孔８ｂに挿入接続され、前記電線２の他端２ｂが前記載置部１０の導通プレート１０ａ上に載置されたことにより該電線２の一端２ａと他端２ｂとが前記導線９を介して導通したとき、前記スタンプ制御器１２から信号線１２ｃを介してスタンプ付与信号を前記スタンプ器９に出力し、またプレス信号を前記端子圧着器１５に出力する。なお、スタンプ付与信号とプレス信号とは同一信号であっても構わない。
【００２３】
本実施例装置１によりワイヤハーネス５を製造する場合は、先ず、ハーネスバンド５ａにより束ねられた同色の複数本の電線２，３，４・・・のそれぞれの一端を前記載置部１０に載置して、手動により端子供給装置１４，スタンプ器９及び端子圧着器１５を作動させることにより、各電線の一端に端子を圧着すると共に、各色のスタンプを付与する。
【００２４】
そして各電線の一端に端子が固着され、スタンプが付与されたワイヤハーネスの、任意に選択した例えば電線２の一端２ａの端子ａを導通チェッカ８の−側挿入孔８ｂに挿入接続する。このときスタンプ器制御装置１２において、前記挿入した電線に付与されている識別マークの色、例えば赤色に応じたスイッチ１２ａを押す。これによりスタンプ器９は、前記電線２のスタンプの色と同色のスタンプを付与可能の状態で待機することとなる。
【００２５】
そして前記選択した電線２と同じ電線であると推測される電線の他端２ｂを、前記載置部１０の導通プレート１０ａ上に搭載されている端子ｂ上に電線スライダ１３により載置する。これにより前記載置した電線２の一端２ａ、他端２ｂが導線１９を介して導通すると、導通チェッカ８のスタンプ器制御装置１２からスタンプ信号，及びプレス信号が信号線１２ｃを介してそれぞれスタンプ器９，端子圧着器１５に出力され、これにより前記電線２の他端２ｂに、スタンプ器９により前記と同色のスタンプが付与され、またこれと同時に電線の他端に端子が圧着される。
【００２６】
同じ動作を他の電線についても同様に実施することにより、各電線の両端部に電線毎に同色のスタンプが付与されることとなる。このスタンプに従って各電線の端子をコネクタの所定の接続孔に挿入接続することにより、両端部に多芯コネクタが接続されたワイヤハーネス５が得られる。
【００２７】
このように、本実施例製造装置１によれば、先ず、複数本の同色の電線２，３，４・・・が束ねられたワイヤハーネス５の各電線の一端に端子ａを圧着すると共に任意の色のスタンプ１１を付与し、例えば電線２の一端２ａの端子ａを導通チェッカ８に接続し、該電線２と推定される電線の他端２ｂを載置部１０の導通プレート１０ａ上に載置した際に、該電線の一端２ａと他端２ｂとが導線１９を介して導通しない場合はマーク付与器９が作動せず、導通した場合のみマーク付与器９が作動して前記一端のスタンプ１１と同色のスタンプを他端に付与するので、電線の両端に電線毎に同色のスタンプ１１を確実に付与でき、このスタンプに従って各電線の各端部を各コネクタの対応する接続孔に挿入し接続することができ、誤組立を防止できる。
【００２８】
また電線２，３，４・・・を一本ずつ取り出した状態で、電線２，３，４・・・のそれぞれの両端に識別マーク付与する場合に比較して生産性を向上でき、コストの増大を回避できる。
【実施例２】
【００２９】
図２は本発明の実施例２を説明するための図であり、図中、図１と同一符号は同一又は相当部分を示す。
【００３０】
前記実施例１では、各電線の一端に予めスタンプを付与する必要があったが、本実施例２では、各電線の一端には端子ａを圧着するだけでよく、スタンプは不要である。
【００３１】
まず、各電線の一端の端子ａをコネクタ１６の任意の接続孔１６ａ，１６ｂ・・・に挿入接続し、この電線が接続されたコネクタ１６を導通チェッカ８の接続口１７に差し込み接続する。ここで導通チェッカ８の前記接続口１７には、前記コネクタ１６の挿入孔１６ａ１６ｂ・・・を介して前記各電線の端子ａが接続される接続端子１７ａ，１７ｂ，・・・を有し、該各接続端子１７ａ，１７ｂ・・・には所定の識別色が設定されている。
【００３２】
従って、何れか任意の電線の他端を前記載置部１０の導通プレート１０ａ上の端子ｂ上に載置すると、該電線の他端は前記導線１９を介して前記接続端子１７ａ，１７ｂ・・・の何れかと導通することとなる。前記導通チェッカ８は前記導通した接続端子に設定されていた色信号をスタンプ器９に供給する。するとこの供給された色信号に対応した色のスタンプが前記載置部１０に載置された電線の他端部に付与される。また同時に、プレス信号が端子圧着器１５に供給され、前記電線の他端部に前記端子ｂが圧着される。各電線の他端の端子ｂを、該他端に付与されたスタンプの色に応じてコネクタに挿入接続することにより、誤組立を回避できる。
【００３３】
このように本実施例２では、各電線２，３・・・の一端２ａ，３ａの端子をコネクタ１６に接続すると共に該コネクタ１６を導通チェッカ８に接続し、任意の電線の他端を載置部１０の導通プレート１０ａ上に載置するだけで、該電線の一端に設定されているスタンプと同色のスタンプが自動的に該電線の他端に付与されるので、確実にかつ高速でスタンプを付与することができ、大幅に生産性を向上できる。
【００３４】
なお、前記実施例では、電線にスタンプにより着色マークを形成したが、着色の方法に制限はなく、インクジェット方式で着色マークを形成しても勿論構わない。
【符号の説明】
【００３５】
１  ワイヤハーネスの製造装置
２〜４  電線
２ａ  電線の一端
２ｂ  電線の他端
５  ワイヤハーネス
８  導通チェッカ
９  スタンプ器（マーク付与器）
１０  載置部
１１  スタンプ（識別マーク）
１６  コネクタ
１９  導線
【図１】
2015125898.tif 000003
【図２】
2015125898.tif 000004